(57)【要約】【課題】  ユーザが本画像を必要としていない場合で、次の処理への移行を早くするためにはサムネイルのままが良い【解決手段】  次の画像表示処理への移行を早くするためには、サムネイル画像のままが良いので、加速度で揺れを検知して揺れが閾値以下であればサムネイル画像のままにしておき、本画像を確認したい場合は揺れを与えて本画像を表示する。【選択図】  図３
2011039111.tif 000002
【特許請求の範囲】
【請求項１】
記憶媒体に記録されている画像データと、その画像データを縮小して画像であるサムネイル画像を読み出す読み出し手段と、
読み出された画像データまたはサムネイル画像を表示する表示手段と、
自装置の振動を検出する振動検出手段と、
前記表示部に表示する画像を切り替えるための操作を受け付ける操作部と、
前記操作部による画像切り替え操作を受け付けたことに応じて、次のサムネイル画像を表示するサムネイル表示モードにおいて、サムネイル画像が表示されている状態で前記振動検知手段で自装置が所定量以上振動したことを検出した場合に、表示されているサムネイル画像に対応した画像データを用いた表示モードに切り替える制御手段とを有することを特徴とする画像表示装置。
【請求項２】
前記制御手段は、操作部の操作を受けて次のサムネイル画像の表示が完了した後で、前記振動検出手段による振動を検出した場合に、表示されているサムネイル画像に対応した画像データを用いた表示に切り替えることを特徴とする請求項１に記載の画像表示装置。
【請求項３】
前記制御手段は、操作部の操作を受けて次のサムネイル画像の表示が完了した後で、前記振動検出手段による振動を検出しない場合には、表示されているサムネイル画像に対応した画像データを用いた表示に切り替え無いことを特徴とする請求項１に記載の画像表示装置。
【請求項４】
記憶媒体に記録されている画像データと、その画像データを縮小して画像であるサムネイル画像を読み出す読み出し手段を有する画像表示装置の制御方法であって、
読み出された画像データまたはサムネイル画像を表示する表示工程と
自装置の振動を検出する振動検出工程と、
前記表示部に表示する画像を切り替えるための操作を受け付ける操作受け付け工程と、
前記操作部による画像切り替え操作を受け付けたことに応じて、次のサムネイル画像を表示するサムネイル表示モードにおいて、サムネイル画像が表示されている状態で前記振動検知工程で自装置が所定量以上振動したことを検出した場合に、表示されているサムネイル画像に対応した画像データを用いた表示モードに切り替える制御工程とを有することを特徴とする制御方法。
【発明の詳細な説明】
【技術分野】
【０００１】
本発明は、振動を検知可能な手段を有する画像表示装置、及びその制御方法に関する。
【背景技術】
【０００２】
近年、デジタルカメラをはじめとする携帯端末の記憶媒体としてよく用いられるメモリカードの大容量化・低価格化が進んだことからその普及が進み、多くのユーザが大量の画像ファイルを気軽に持ち運ぶことができるようになった。そこで、大量の画像ファイルからユーザが所望の画像をいち早く見つけ出せるように、画像検索向上のニーズが高まってきている。
【０００３】
そのような中でも画像を画面一面に表示しながら検索をしたいニーズは存在する。しかしデジタルカメラ等で撮影した画像を一枚ずつ順次送りながら所望の画像を検索する場合、次の画像を表示するには一度画像情報をデコードしてから表示させる必要があるため時間がかかる。そのため多くの画像の中から所望の画像を検索するのには、非常に多くの時間がかかってしまう。そこで文献１では、本画像を表示する代わりに、本画像を縮小して作られたサムネイル画像を表示しながら検索を行うようにしている。そして所望のサムネイル画像をユーザが見つけると、ユーザはボタンから手を離し、一定時間ボタン操作がおこなわれなければ、選択されているサムネイル画像に対応した本画像の表示に自動的に移行させている。
【先行技術文献】
【特許文献】
【０００４】
【特許文献１】特開平１０−０７９９１２号公報
【発明の概要】
【発明が解決しようとする課題】
【０００５】
しかし、従来の一画面検索においては、次のような問題点があった。
【０００６】
すなわち、一定時間操作ボタンはなすと自動的に画像を切り替えているため、ユーザが本画像を必要としていない場合でも、時間超過によって再生に時間のかかる本画像を自動的に表示してしまう、ということである。ユーザが画像を確認し次の画像に順次送りしたい場合であったとしても無操作時間が規定量を超過してしまうと自動的にデコード処理が行われてしまう。このため本画像をデコード中に再度サムネイルを表示したい場合、本画像のデコード処理を中断せねばならず余計に時間がかかる。そこで自動的に切り替わらないようにボタン押下によるサムネイル−本画像切替の方法も考えられるが、現在の携帯端末にはキーがたくさん搭載されており、ボタン押下時にユーザがそのボタンを押下すればよいか迷い、誤操作するとスムーズに切り替わらない。
【０００７】
本発明は上述した問題に鑑みてなされたものであり、ユーザが本画像を必要としている場合は本画像を、そうでない場合にはサムネイル画像のままにしておき、スムーズな操作体系と表示方法を提供することを目的とする。
【課題を解決するための手段】
【０００８】
上記の課題を解決するため、本発明の画像表紙装置は、記憶媒体に記録されている画像データと、その画像データを縮小して画像であるサムネイル画像を読み出す読み出し手段と、読み出された画像データまたはサムネイル画像を表示する表示手段と、自装置の振動を検出する振動検出手段と、前記表示部に表示する画像を切り替えるための操作を受け付ける操作部と、前記操作部による画像切り替え操作を受け付けたことに応じて、次のサムネイル画像を表示するサムネイル表示モードにおいて、サムネイル画像が表示されている状態で前記振動検知手段で自装置が所定量以上振動したことを検出した場合に、表示されているサムネイル画像に対応した画像データを用いた表示モードに切り替える制御手段とを有することを特徴とする。
【発明の効果】
【０００９】
本発明によって、揺れによってサムネイル画像と本画像を切り替えられ、かつユーザが本画像を必要としない場合は、サムネイルのままでいるため次の画像への移行処理がスムーズに行える。また揺れによる操作のため、ボタン押下などと違い、押下するボタン間違いなどの操作間違いが少なくまた片手で操作が可能となる。
【図面の簡単な説明】
【００１０】
【図１】本発明の撮像装置の一例としてのデジタルカメラの外観図と、デジタルカメラの機能構成を示すブロック図である。
【図２】デジタルカメラ１００の全体的な動作のフローチャートである。
【図３】本発明の実施例１の処理の流れを示すフローチャートである。
【図４】サムネイル画像表示における画像送り処理の流れを示すフローチャートである。
【図５】画像の表示例
【図６】サムネイル画像表示における画像送り画面表示例
【図７】本画像の伸張処理の流れを示すフローチャートである。
【発明を実施するための形態】
【００１１】
（実施例１）
以下、添付の図面を参照して本発明の好適な実施形態について説明する。尚、以下に説明する実施形態では、本発明による装置、方法を静止画像と動画との撮影が可能なデジタルカメラである撮像装置に適用した場合を例にして説明する。
【００１２】
（デジタルカメラの構成について）
図１（ａ）は実施形態によるデジタルカメラの外観図である。図１（ａ）において、２８は表示部であり、画像や各種情報を表示する。７２は電源スイッチであり、電源オン、電源オフを切り替える。６１はシャッターボタンである。６０はモード切替スイッチであり、デジタルカメラ１００における各種モードを切り替える。より具体的には、静止画記録モード、動画記録モード、再生モード等のモードの切り替えが可能である。１１１は接続ケーブルであり、デジタルカメラ１００と外部機器を接続する。１１２はコネクタであり、接続ケーブル１１１とデジタルカメラ１００とを接続する。
【００１３】
７０は操作部であり、ユーザからの各種操作を受け付ける。操作部７０は図示の各種ボタンや、表示部２８の画面上に設けられたタッチパネル等の操作部材を有する。操作部７０の各種ボタンとは、具体的に例示すると、消去ボタン、メニューボタン、ＳＥＴボタン７４、ディスプレイボタン、ズーム操作部、十字に配置された４方向ボタン（上ボタン、下ボタン、右ボタン７５、左ボタン７６）、ホイール７３等である。ユーザは、この左右のボタン７５、７６と、ホイール７３を用いて、画像切り替えの操作を行うことが出来る。２００はメモリカードやハードディスク等の記録媒体である。記録媒体２００には、サムネイル画像と本画像とが１つのファイルに統合されている静止画像ファイルや、動画像ファイルなどが記録されている。２０１は記録媒体スロットであり、記録媒体２００を格納する。記録媒体スロット２０１に格納された記録媒体２００は、デジタルカメラ１００との通信が可能となる。２０２は記録媒体スロット２０１の蓋である。
【００１４】
図１（ｂ）は、デジタルカメラのハードウェア構成の一例を示す図である。
【００１５】
デジタルカメラ１００は、光学系１０１と、撮像部２２と、システム制御部５０と、システムメモリ５２と、不揮発性メモリ５６と、記録媒体スロット２０１と、画像表示部２８と、操作部７０と、を含む。
【００１６】
光学系１０１は、レンズ、シャッター、絞りから構成されていて、被写体からの光を適切な量とタイミングで撮像部２２の撮像素子に結像させる。撮像部２２は、撮像素子に結像した光を電子的な情報に変換する。システム制御部５０は、各種の演算や、デジタルカメラ１００を構成する各部分の制御を行う。システムメモリ５２は、一時的なデータを記憶し、システム制御部５０の作業用に使われる。不揮発性メモリ５６は、デジタルカメラ１００を制御するためのプログラム（ファームウェア）や各種の設定情報を記憶する。またデジタルカメラが本実施例の動作を行うための制御プログラムも格納されている。記録媒体スロット２０１は、撮影した画像を記憶するための記憶媒体２００を装着し、システム制御部５０の命令を受けて記録媒体に記録されているデータ読み出しや、データ書き込みを制御する。画像表示部２８は、撮影時のビューファインダー画像の表示、撮影した画像の表示、対話的な操作のための文字表示等を行う。操作部７０は、使用者の操作を受け付ける。
【００１７】
また、システム制御部５０は、左右のボタン７５、７６と、ホイール７３を用いた画像切り替えの操作を受け付けると、画像表示手段２８に表示している画像から、次に表示すべき画像へ表示を切り替える表示制御手段としても機能する。
【００１８】
さらにシステム制御部５０は、サムネイル画像を用いて表画像を次々に変更可能なサムネイル表示モードと、本画像データを用いた通常の再生モードとを切り替える制御手段としても機能する。
【００１９】
システム制御部５０が不揮発性メモリ５６に記録されたプログラムを読み取り実行することによってデジタルカメラ１００の機能、及び、後述するデジタルカメラ１００に係るフローチャートの各ステップの処理が実現される。
【００２０】
２１７は加速度センサであり、デジタルカメラ１００の３次元方向の動きを検出することが可能である。加速度センサ２１７の出力は、アナログ信号をＡ／Ｄ変換器等で取り込むアナログ方式、デジタル信号をシリアル通信等で取り込むデジタル方式などがあるが、どちらの方式であってもよい。取り込んだ加速度信号に対して、その振れ量等の計算や判定処理を行うことで自装置が振られたことを検出する振動検出の機能を有する。また、その振り方向に応じた機能を実行することも可能である。その機能の一つとして、画像送りや画像戻しを行って表示画像を切り替える機能や、表示画像の拡大や縮小を制御する機能を割り当てることが可能である。
【００２１】
システム制御部５０は、加速度センサ２１７が出力する信号に基づき、記録媒体２００からの本画像の読み出しや、画像表示部２８の表示制御も行っている。
【００２２】
（デジタルカメラの全体動作について）
図２は、本実施形態のデジタルカメラ１００の全体的な動作を説明するフローチャートである。このフローチャートにおける各処理は、システム制御部５０が不揮発性メモリ５６等に格納されたプログラムをシステムメモリ５２に展開して実行することにより実現される。
【００２３】
電源スイッチ７２が操作され電源がオンに切り替わると、ステップＳ２０１においてシステム制御部５０はフラグや制御変数等を初期化する。続いて、ステップＳ２０２において、記録媒体２００に記録されているファイルに関する管理処理を開始する。
【００２４】
電源スイッチ７２が操作され電源がオンに切り替わると、ステップＳ２０１においてシステム制御部５０はフラグや制御変数等を初期化する。続いて、ステップＳ２０２において、記録媒体２００に記録されているファイルに関する管理処理を開始する。モード切替スイッチ６０が静止画記録モードに設定されていたならば、処理はステップＳ２０３からステップＳ２０４へ進み、静止画記録モード処理を実行する。モード切替スイッチ６０が動画記録モードに設定されていたならば、処理はステップＳ２０３、Ｓ２０５を経てステップＳ２０６へ進み、動画記録モード処理を実行する。また、モード切替スイッチ６０が再生モードに設定されていた場合、処理はステップＳ２０３、Ｓ２０５、Ｓ２０７を経てステップＳ２０８へ進み、再生モード処理を実行する。
【００２５】
また、その他のモードに設定されていた場合、処理はステップＳ２０９へ進み、システム制御部５０は選択されたモードに応じた処理を実行する。その他のモードとしては例えば記録媒体２００に格納されたファイルの送信を行う送信モード処理、外部機器からファイルを受信して記録媒体２００に格納する受信モード処理が含まれる。ステップＳ２０４、Ｓ２０６、Ｓ２０８、Ｓ２０９のうちのモード切替スイッチ６０によって設定されたモードに対応した処理を実行した後、処理はステップＳ２１０へ進む。ステップＳ２１０において、システム制御部５０は電源スイッチ７２の設定位置を判断する。電源スイッチ７２が電源オンに設定されていれば、ステップＳ２０３に処理を戻す。一方、電源スイッチ７２が電源オフに設定されていたならば、処理はステップＳ２１０からステップＳ２１１へ進み、制御部５０は終了処理を行う。終了処理には、例えば以下の処理が含まれる。すなわち、表示部２８の表示を終了状態に変更し、光学系１０１に含まれるレンズバリアを閉じて撮像部を保護する。また、フラグや制御変数等を含むパラメータや設定値、設定モードを不揮発性メモリ５６に記録し、電源供給が不要な部分への電源を遮断する。ステップＳ２１１の終了処理が完了すると、本処理を終了し、電源をＯＦＦ状態へ移行する。
【００２６】
次に、実施形態におけるデジタルカメラ１００におけるサムネイル画像表示から本画像表示への遷移について、以下具体的にその処理の流れを図３を用いながら説明する。
【００２７】
システム制御部５０は電源スイッチ７２が押下された後、再生モードであると判定すると再生モード処理を実行する。システム制御部５０は前回電源ＯＦＦされた際に表示されていた画像の番号Ｎをメモリ５２から取得し、画像表示部２８に本画像を表示する（ステップＳ３０１）。その後、ホイール７３か左右キー７５，７６の操作の有無を検知し（ステップＳ３０２）、どちらの操作もされなければ、その他指示処理の検知を行う（ステップＳ３０３）。このときなんらかの指示があれば、その他処理を行い（ステップＳ３０５）、再度本画像Ｎを表示する。またモード切替スイッチ６０、第１シャッタースイッチ６１、電源スイッチ７２等で終了を検知すると（ステップＳ３０４）、再生モード処理を終了する。どの操作も検知しなければ画像番号Ｎを画像表示部２８に表示し続ける。
【００２８】
ステップＳ３０２で画像送りを検知した場合、システム制御部５０はカレント画像番号Ｎに＋１を加算した新しい画像Ｎ＋１に設定された画像番号のサムネイル画像を画像表示部２８に表示開始する（ステップＳ３０６）。この後、サムネイル表示モード移行時間の管理用タイマーを起動する（ステップＳ３０７）と同時に画像Ｎおよび画像Ｎ＋１の移動を開始する（ステップＳ３０８）
このサムネイル表示モードは、表示する画像の切り替えをサムネイル画像のみを使い続ける状態のことを言う。たとえば本実施例では、管理用タイマーを経過する前に連続的に画像切り替え操作を行った場合に、このサムネイル表示モードに移行する。
【００２９】
このタイマーの規定時間を監視し（ステップＳ３１５）、タイマーがタイムアウトする前に画像Ｎ＋１が規定位置まで移動したか否かを判断する（ステップＳ３０９）。そして、移動したことを検知するとシステム制御部５０ではステップＳ３０７で起動したタイマーをリセットし（ステップＳ３１０）、カレント画像を加算して画像番号Ｎ＋１をカレント画像Ｎに設定する（ステップＳ３１１）。
【００３０】
また、このタイマーがタイムアウトする前に画像送り指示があった場合（ステップＳ３１２）、システム制御部５０ではステップＳ３０７で起動したタイマーをリセットする（ステップＳ３１３）。そして、図６のようなサムネイル画像表示に切り替えを行い、サムネイル表示モードへ遷移する（ステップＳ３１４）
サムネイル表示モード処理について図４を用いて説明する。
【００３１】
サムネイル画像表示に切り替わると、システム制御部５０では、カレント画像ｎのサムネイル画像６０１を、画面の中央で少し大きめに強調表示する（ステップＳ４０１）。これにより、ユーザはサムネイル画像表示においても現在どの画像を選択しているかが明示的である。画像の送り操作が行われると、６０３の画像が６０１の位置までスライドしながら、またサイズも大きくなりながら移動する。このとき６０１の画像は、６０２の位置まで、小さくなりながらスライドする。画像の戻し操作が行われると、６０２の画像が６０１の位置までスライドしながら、またサイズも大きくなりながら移動する。このとき６０１の画像は、６０３の位置まで、小さくなりながらスライドする。
【００３２】
また、カレント画像ｎのサムネイル画像６０１以外のｎ−ｘ〜ｎ＋ｘ（ここではｎ＝１）のサムネイル画像６０２、６０３も同一線上に表示する（ステップＳ４０２）。
【００３３】
また、システム制御部５０では、全体の枚数の内、カレント画像の画像番号ｎがどのあたりに位置するものなのかをプログレスバー６０４、６０５でサムネイル画像と同時に示す。
【００３４】
サムネイル画像表示に切り替わると、システム制御部５０では無操作計測用のタイマーを起動する（ステップＳ４０３）。
【００３５】
このタイマーがタイムアウトになる前に、ホイール操作、もしくは左右キー操作が行われたことを検知すると（ステップＳ４０４、Ｓ４０５）、システム制御部５０ではステップＳ４０３で起動したタイマーをリセットする（ステップＳ４０９）。そして、左キーか左回転が行われたと判定されると（ステップＳ４１０）、カレント番号を減算する（ステップＳ４１２）。そうでなければカレント番号ｎを加算して（テップＳ４１１）、システム制御部５０は新しく画像番号ｎに設定された画像のサムネイル画像を画像表示部２８に表示する（ステップＳ４０１）。
【００３６】
さて、サムネイル画像表示中に左右キーやホイールによる画像送りまたは戻しの操作が所定時間行われなかった場合（ステップＳ４０７）、もしくはＳＥＴボタン７４が押下された場合（ステップＳ４０６）は、システム制御部５０ではステップＳ４０３で起動したタイマーをリセットする（ステップＳ４０８）。そして、サムネイル画像表示から、図５（ｂ）のように本画像を１枚大きく表示する通常の再生モードに遷移する。このときに表示される本画像は、表示モードが切り替わる前に表示されていたサムネイル画像６０１に対応する画像である。
【００３７】
以上がサムネイル表示モード処理についての説明である。
【００３８】
タイマーがタイムアウトした後に画像送り指示の有無を判定し（ステップＳ３１６）、画像送り指示があった場合、システム制御部５０はカレント画像を加算して画像番号Ｎ＋１をカレント画像Ｎに設定する（ステップＳ３１７）。そして、システム制御部５０はカレント画像番号Ｎに＋１を加算した新しい画像Ｎ＋１に設定された画像番号のサムネイル画像を画像表示部２８に表示開始する（ステップＳ３０６）。
【００３９】
タイマーがタイムアウトした後に画像送り指示が無かった場合、画像Ｎ＋１が画面中央の表示位置が、規定位置まで移動したか否かを判断する（ステップＳ３１８）。そして、移動したことを検知するとシステム制御部５０は、カレント画像を加算して画像番号Ｎ＋１をカレント画像Ｎに設定する（ステップＳ３１１）。ステップＳ３１８で移動を検出しなかった場合、画像Ｎ＋１が所定位置に移動するまでステップ３１６の判定を継続する。
【００４０】
ステップＳ３１１によりカレントの画像Ｎが決定した後、サムネール画像を表示している状態で、システム制御部５０は加速度センサーより振動の検知を行う。検出した振れ量が閾値以上か否かを判断する（ステップＳ３１９）。そして、閾値以上であれば、現在サムネイル画像を表示している画像Ｎの本画像を表示する（ステップＳ３２０）。
【００４１】
画像Ｎ本画像表示処理について図７を用いて説明する。
【００４２】
画像Ｎの本画像表示指示があると、システム制御部５０は画像Ｎの伸張処理を開始する。このとき画像送り指示の有無を判定し（ステップＳ７０２）、画像送り指示があった場合、システム制御部５０は画像伸張処理を中止し（ステップＳ７０３）、本画像表示処理を終了する。
【００４３】
画像送り指示がない場合、画像Ｎの伸張処理の完了を判断し（ステップＳ７０４）、画像伸張処理が終了するまでステップＳ７０２を監視し続ける。
【００４４】
ステップＳ７０４で伸張処理が完了したことを検知すると、画像Ｎの本画像を表示部に表示する。
【００４５】
以上が画像Ｎ本画像表示処理についての説明である。
【００４６】
検出した振動が閾値以下の状態の時にＳＥＴボタン７４を押下した場合、現在サムネイル画像を表示している画像Ｎの本画像を表示する（ステップＳ３２０）。
【００４７】
このように加速度センサーとＳＥＴボタンでの操作は同じ処理を実行することになるが、ボタン押下の場合はどのボタンを押下すればよいか迷う場合がある。加速度センサーであれば閾値以上の振動を与えればよく、ユーザが操作に迷うことはない。
【００４８】
検出した振動が閾値以下の状態の時に画像送り指示の有無を判定する（ステップＳ３２２）。そして、画像送り指示があった場合、システム制御部５０はカレント画像番号Ｎに＋１を加算した新しい画像Ｎ＋１に設定された画像番号のサムネイル画像を画像表示部２８に表示開始する（ステップＳ３０６）。
【００４９】
検出した振動が閾値以下の状態の時に画像送り指示が無かった場合、ステップ３１９の判定を継続する。
【００５０】
なお、サムネイル表示画面を図６のように複数のサムネイル画像を同時に表示する代わり、１枚のサムネイル画像を図５（ａ）のように大きく表示するようにしても本発明を実施できる。
【００５１】
この場合、図５（ａ）で表示される画像は、本画像を使う場合に比べて粗い画像である。
【００５２】
以上説明したように、本発明によれば、
揺れによってサムネイルと本画像を切り替えられ、振動させない場合には明示的に切り替え操作をしない限りはサムネイル画像表示モードのままでいることが出来る。そのため、ユーザが本画像を必要としない場合は、サムネイルのままでいるため次のサムネイル画像への移行処理がスムーズに行える。揺れによる操作のため、キー押下などと違い、押下するキー間違いなどの操作間違いが少なくまた片手で操作が可能である。
【００５３】
以上、デジタルカメラにより本発明を説明したが、本発明の適用はこれに限られるものではなく、プリンタや携帯電話，携帯端末等の、画像再生が可能な装置に適用が可能である。
【００５４】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011039111.tif 000003
【図２】
2011039111.tif 000004
【図３】
2011039111.tif 000005
【図４】
2011039111.tif 000006
【図５】
2011039111.tif 000007
【図６】
2011039111.tif 000008
【図７】
2011039111.tif 000009